(57)【要約】【課題】従来の文献に基づく「鯉のぼり」は、鯉のぼりの目や鱗の一部にＥＬを取付け、リード線を口元から引出し、鯉のぼりを係止する紐と、昇降用の紐を利用して駆動用電源に導く構成であり、ＥＬの発光により、鯉のぼりに照明効果と、空中での躍動感を付与することを意図する。しかし、鯉のぼりの柔軟性が喪失する虞があった。【構成】本発明の鯉のぼりは、その胴体部に、鯉としての特色である目、鱗、尻尾等の特定部位を有しており、特定部位にＬＥＤを配備し、ＬＥＤに配線を介してポールにセットした発電機及び／又はバッテリーを接続し、またバッテリーにはポールの先端に配備した風車を利用して発電及び／又は蓄電する発光特性を備えた鯉のぼりである。従って、鯉のぼり本体の柔軟性に障害とならないＬＥＤを使用し、発光特性を付与できる。【選択図】図１
2007289352.tif 000002
【特許請求の範囲】
【請求項１】
ポールの紐に係止された鯉のぼりであって、
この鯉のぼりの胴体部には、鯉としての特色である目、鱗、尻尾等の特定部位を有しており、この特定部位にＬＥＤを配備し、このＬＥＤへの配線を鯉のぼりが係止される紐を利用して導き、ポールにセットした発電機及び／又はバッテリーに接続し、またこのバッテリーにはポールの先端に配備した風車を利用して蓄電する構成とした発光特性を備えた鯉のぼり。
【請求項２】
請求項１に記載の鯉のぼりにおいて、その発電機を自転車用の小型発電機を採用する構成とした発光特性を備えた鯉のぼり。
【請求項３】
請求項１に記載の鯉のぼりにおいて、その発電機に設けた歯車を、風車の回転軸に設けた歯車と噛合して回転する構成とし、この歯車の回転で前記発電機を介してバッテリーに蓄電する構成とした発光特性を備えた鯉のぼり。
【請求項４】
請求項１に記載の鯉のぼりにおいて、その発電機に設けた回転輪を、風車の回転軸に設けた回転輪と非接触の構成とし、この回転輪の回転で前記発電機を介してバッテリーに蓄電する構成とした発光特性を備えた鯉のぼり。
【発明の詳細な説明】
【技術分野】
【０００１】
本発明は、鯉のぼりに関するものであり、さらに詳しくは、鯉のぼりを発光させて美感の向上を図ることと、この発光に要する電力を、自然エネルギーを利用して発電及び／又は蓄電することを目的とした環境に優しい、斬新な鯉のぼりに関する。
【背景技術】
【０００２】
鯉のぼりは、子供の成長と、風薫る五月の風を利用して天高く泳ぐさまを楽しむこと等を意図して設置されるので、鯉のぼりは、風に乗って気持ちよく泳ぐさまを満喫することが要求される。
【０００３】
また鯉のぼりの泳ぐ姿を、美しく演出すること、又はその泳ぐ姿が、曇り空や、夕暮れにおいても人目につくことが望まれる。このような希望は、幼児等の子供に多いことは知られている。そして、この泳ぐ姿が、電気に照らされたり、発光する光景は、驚嘆に値するとともに、子供にとっては、興味を呼び起こし、その成長の糧になるといっても過言でないこと等が考えられる。
【０００４】
従って、発光する鯉のぼりは、先行文献の中にも見当たるので、その一例を、文献として挙げる。この文献（１）が相当する。文献（１）は、実開平１−７２１８１号の「鯉のぼり」であって、目や鱗の一部にＥＬを取付け、リード線を口元から引出し、鯉のぼりを係止する紐と、昇降用の紐を利用して駆動用電源に導く構成であり、ＥＬの発光により、鯉のぼりに照明効果と、空中での躍動感を付与することを意図する。
【０００５】
尚、鯉のぼりでないが、ＥＬ素子（発光素子）を利用した屋外の品物として、旗がある。この旗は、本発明とは関係ないが、発光する品物であり、その一例を、文献として挙げる。この文献（２）が相当する。この文献（２）は、特開平７−１５２３３５号の「旗」であって、前述の文献（１）と同様に、ＥＬの発光により、旗に照明効果と、宣伝及び／又は意匠効果の拡大を図ることを意図する。
【０００６】
また、文献（３）は、特開２０００―１０５１５の「太陽電池を利用した蛍光照射のぼり」があり、太陽電池を配し、その蓄えた電気を利用してのぼりに光を照射し、夜間営業時にも販売促進、防犯効果の向上が図れる。
【０００７】
【特許文献１】実開平１−７２１８１号
【特許文献２】特開平７−１５２３３５号
【特許文献３】特開２０００―１０５１５
【発明の開示】
【発明が解決しようとする課題】
【０００８】
前記文献（１）は、ＥＬという発光素材（発光部材とする）を利用する構成であり、通常の形態が、帯状を呈する。この帯状の発光部材を貼付ける構成では、鯉のぼりの柔軟性が喪失される虞があり、本来の鯉のぼりのように、空中での躍動感が喪失されると考えられる。従って、空中での遊泳において、ゆったり、かつ流れるような感覚の表現が打ち消されること、また上下方向への躍動感の喪失が顕著であり、この鯉のぼりを視認した人々が、空中での遊泳に違和感を感ずると考えられる。さらにこの種の発光部材では、鯉のぼり本体から剥離する可能性が強く、耐久性に問題を残すものと考えられる。そして、この文献（１）では、駆動用電源に関する記述がなく、明確でないが、家庭用の電源を使用することから、電力の有効利用に課題を残すと考えられる。
【０００９】
そして、文献（２）、（３）においては、「旗」に関するものであることと、太陽電池による蓄電であること等を考慮すると、本発明とは本質的な相違がある。
【課題を解決するための手段】
【００１０】
請求項１の発明は、ＬＥＤという極めて細く、鯉のぼり本体の柔軟性に障害とならないＬＥＤ（発光部材）を使用し、本来の鯉のぼりの有する空中での躍動感を確保すること、また空中での遊泳において、ゆったり、かつ流れるような感覚を表現すること、そして、上下方向への躍動感の確保を図ることで、この種の鯉のぼりを視認した人々に、楽しみと、照明による明るく、光輝な感覚を与えること等を意図する。また請求項１の発明は、電源を、自然のエネルギーを利用し、電力の節約、また環境の維持等を達成することを意図する。そして、請求項１の発明では、常時、発光を要求しなくても、自然の状態に合わせて発光することで、その願望を達成できること、また風車を利用して発光することから、鯉のぼりの躍動感とマッチして誠に有益であり、鯉のぼりの動きに連動させること等を意図する。
【００１１】
請求項１は、ポールの紐に係止された鯉のぼりであって、
この鯉のぼりの胴体部には、鯉としての特色である目、鱗、尻尾等の特定部位を有しており、この特定部位にＬＥＤを配備し、このＬＥＤへの配線を鯉のぼりが係止される紐を利用して導き、ポールにセットした発電機及び／又はバッテリーに接続し、またこのバッテリーにはポールの先端に配備した風車を利用して蓄電する構成とした発光特性を備えた鯉のぼりである。
【００１２】
請求項２の発明は、請求項１の目的を達成すること、また請求項１の目的を達成し、従来の鯉のぼりセット（鯉のぼり）にも、僅かな改良で装着可能な、軽量で、かつ小型の発光特性を備えた鯉のぼりを提供することを意図する。
【００１３】
請求項２は、請求項１に記載の鯉のぼりにおいて、その発電機を自転車用の小型発電機を採用する構成とした発光特性を備えた鯉のぼりである。
【００１４】
請求項３の発明は、請求項１の目的を達成すること、また請求項１の目的を達成し、従来の鯉のぼりセット（鯉のぼり）にも、僅かな改良で装着可能な、簡易かつ軽量で、小型構造の発光特性を備えた鯉のぼりを提供することを意図する。
【００１５】
請求項３は、請求項１に記載の鯉のぼりにおいて、その発電機に設けた歯車を、風車の回転軸に設けた歯車と噛合して回転する構成とし、この歯車の回転で前記発電機を介してバッテリーに蓄電する構成とした発光特性を備えた鯉のぼりである。
【００１６】
請求項４の発明は、請求項１の目的を達成すること、また請求項１の目的を達成し、従来の鯉のぼりセット（鯉のぼり）にも、僅かな改良で装着可能であって、しかも故障時に、各部品を簡易に取外して修理が可能（修理後の取付けが可能）な非接触の回転輪を介して発電できる発電機構を具備する発光特性を備えた鯉のぼりを提供することを意図する。
【００１７】
請求項４は、請求項１に記載の鯉のぼりにおいて、その発電機に設けた回転輪を、風車の回転軸に設けた回転輪と非接触の構成とし、この回転輪の回転で前記発電機を介してバッテリーに蓄電する構成とした発光特性を備えた鯉のぼりである。
【発明の効果】
【００１８】
請求項１の発明は、ポールの紐に係止された鯉のぼりであって、
鯉のぼりの胴体部には、鯉としての特色である目、鱗、尻尾等の特定部位を有しており、特定部位にＬＥＤを配備し、ＬＥＤへの配線を鯉のぼりが係止される紐を利用して導き、ポールにセットした発電機及び／又はバッテリーに接続し、またバッテリーにはポールの先端に配備した風車を利用して蓄電する発光特性を備えた鯉のぼりである。
【００１９】
従って、請求項１は、ＬＥＤという極めて細く、鯉のぼり本体の柔軟性に障害とならないＬＥＤを使用し、本来の鯉のぼりの有する空中での躍動感を確保すること、また空中での遊泳において、ゆったり、かつ流れるような感覚を表現できること、そして、上下方向への躍動感の確保が図れることで、この種の鯉のぼりを視認した人々に、楽しみと、照明による明るく、光輝な感覚を与えうること等の特徴を有する。また請求項１は、電源を、自然のエネルギーを利用し、電力の節約、また環境の維持等を達成できる実益がある。そして、請求項１では、常時、発光を要求しなくても、自然の状態に合わせて発光することで、その願望を達成できること、また風車を利用して発光することから、鯉のぼりの躍動感とマッチして誠に有益であり、鯉のぼりの動きに連動させる得ること等の特徴を有する。
【００２０】
請求項２の発明は、請求項１に記載の鯉のぼりにおいて、発電機を自転車用の小型発電機を採用する発光特性を備えた鯉のぼりである。
【００２１】
従って、請求項２は、請求項１の目的を達成できること、また請求項１の目的を達成し、従来の鯉のぼりセット（鯉のぼり）にも、僅かな改良で装着可能な、軽量で、かつ小型の発光特性を備えた鯉のぼりを提供できること等の特徴を有する。
【００２２】
請求項３の発明は、請求項１に記載の鯉のぼりにおいて、発電機に設けた歯車を、風車の回転軸に設けた歯車と噛合して回転する構成とし、歯車の回転で発電機を介してバッテリーに蓄電する発光特性を備えた鯉のぼりである。
【００２３】
従って、請求項３は、請求項１の目的を達成できること、また請求項１の目的を達成し、従来の鯉のぼりセット（鯉のぼり）にも、僅かな改良で装着可能な、簡易かつ軽量で、小型構造の発光特性を備えた鯉のぼりを提供できること等の特徴を有する。
【００２４】
請求項４の発明は、請求項１に記載の鯉のぼりにおいて、発電機に設けた回転輪を、風車の回転軸に設けた回転輪と非接触の構成とし、回転輪の回転で発電機を介してバッテリーに蓄電する構成とした発光特性を備えた鯉のぼりである。
【００２５】
従って、請求項４は、請求項１の目的を達成できること、また請求項１の目的を達成し、従来の鯉のぼりセット（鯉のぼり）にも、僅かな改良で装着可能であって、しかも故障時に、各部品を簡易に取外して修理が可能（修理後の取付けが可能）な非接触の回転輪を介して発電できる発電機構を具備する発光特性を備えた鯉のぼりを提供できること等の特徴を有する。
【発明を実施するための最良の形態】
【００２６】
本発明の各一例を説明する。
【００２７】
本発明の図面の説明をすると、図１は鯉のぼりの全体を示した側面模式図、図２は図１の要部の拡大であって、鯉のぼりの本体及び／又は特定部位の一例とＬＥＤとの関係を説明する側面図、図３は図１の要部の拡大であって、風車と発電機との関係を説明する側面図、図４は発光過程を説明するフローチャート、図５は他の一実施例の要部の拡大であって、風車と発電機との関係を説明する側面図、また図６はさらに他の一実施例の要部の拡大であって、風車と発電機との関係を説明する側面図を示したである。
【００２８】
本発明の各一例において、１は鯉のぼりであって、この鯉のぼり１は、地中に立設したポール２に取付けた紐３及び／又は留め紐４を介してこのポール２に昇降自在、かつ着脱自在に設けられている。この構成は、原則として従来の構造と同じである。
【００２９】
本発明の一例では、ポール２に回転自在に設けた風車５を利用して発電するシステムであって、この風車５の回転軸５０に歯車５１（伝達媒体であれば可能である）を設け、この歯車５１に噛合する従動歯車６１（伝達媒体であれば可能である）を介して発電機６に動力を伝達し、この発電機６を介して発電する構造である。そして、この発電機６は、例えば、自転車に使用される小型の発電機（図示せず）と同等な構造のものを使用し、小型化、軽量化、防水性、低コスト化等を利用する。そして、図中６０は発電機６の軸を示す。従って、風車５の回転は、この風車５が固止された回転軸５０を介して歯車５１を回転する。この回転は、この歯車５１に噛合する従動歯車６１及び／又は軸６０を介して発電機６に伝達される。これによって、発電機６で発電される。この電力は、図示しないコードを介してバッテリー８で蓄電される。そして、この例では、ポール２に回転軸５０を軸承し、この回転軸５０に固止した歯車５１を、当該ポール２に軸承した発電機６の軸６０の従動歯車６１に噛合する構成である。従って、従来のポール２を利用可能とし、また発電機６として最適な例の一例を挙げると、自転車用の小型の発電機（図示せず）が、経済性と、汎用性、又は商品性等の面から最適であり、この種の発電機６をポール２に搭載する。また小型で汎用性のバッテリー８を採用し、ポール２に搭載することで、前記装置の簡便化、経済性と、汎用性、又は商品性等の面から最適である。尚、バッテリー８は地上に設けることも可能である。さらに、前記歯車５１と従動歯車６１の噛合は、限定されず、必要により（強風時等において）離間し、一方を停止する場合、又はその他の条件で停止する場合等とかがあり得る。
【００３０】
また前記発電機６からケーブル１０を介して鯉のぼり１の胴体部１００の特定部位１０１に設けたＬＥＤ１２に電気を送り、この特定部位１０１を発光させる。この発光で鯉のぼり１を、闇から浮き立たせるか、又は空中で光輝させる構成である。そして、この特定部位１０１は、目１０１ａ、鱗１０１ｂ、尻尾１０１ｃ等の各箇所とし、発光するのに最適な箇所であって、かつ発光することで、鯉のぼり１の全体及び／又は要部を表現可能な構成とする。また特定部位１０１は全て発光する例と、部分的に発光する例とが考えられる。そして、この特定部位１０１の発光調整は、遠隔操作で行うことが理想である。
【００３１】
尚、前記風車５、発電機６の駆動及び／又は停止等の調整は、それぞれ遠隔操作で行うことが理想である。また、風車５、発電機６等を備えたポール部位を嵌脱可能とする、この構成では、使用の簡略化と、故障時の取扱いの容易化、又はこの構成を必要時に選択使用することも可能である。
【００３２】
そして、図５、図６に示した各他の一例は、発電機６の軸６０に設けた回転輪６２を、風車５の回転軸５０に設けた回転輪５２と非接触の構成とし、回転輪５２、６２の回転で発電機６を介してバッテリー８に蓄電する構成であり、この各他の一例では、例えば、各部品を簡易に取外して修理が可能及び／又は修理後の取付けが可能な非接触の回転輪５２、６２を介して発電できる発電機構を提供できること、修理及び／又は管理の容易化と、経済性の向上が期待できる。また従来の鯉のぼり（図示せず）にも、僅かな改良でセットできる利点がある。また非接触による効率化及び／又は耐久性の向上等が図れる。また図６の一例は、フライホイール構造を採用する。
【図面の簡単な説明】
【００３３】
【図１】図１は鯉のぼりの全体を示した側面模式図
【図２】図２は図１の要部の拡大であって、鯉のぼりの本体及び／又は特定部位の一例とＬＥＤとの関係を説明する側面図
【図３】図３は図１の要部の拡大であって、風車と発電機との関係を説明する側面図
【図４】図４は発光過程を説明するフローチャート
【図５】図５は他の一実施例の要部の拡大であって、風車と発電機との関係を説明する側面図
【図６】図６はさらに他の一実施例の要部の拡大であって、風車と発電機との関係を説明する側面図
【符号の説明】
【００３４】
１              鯉のぼり
２              ポール
３              紐
４              留め紐
５              風車
５０            回転軸
５１            歯車
５２            回転輪
６              発電機
６０            軸
６１            従動歯車
６２            回転輪
８              バッテリー
１０            ケーブル
１００          胴体部
１０１          特定部位
１０１ａ        目
１０１ｂ          鱗
１０１ｃ          尻尾
１２              ＬＥＤ
【図１】
2007289352.tif 000003
【図２】
2007289352.tif 000004
【図３】
2007289352.tif 000005
【図４】
2007289352.tif 000006
【図５】
2007289352.tif 000007
【図６】
2007289352.tif 000008